(57)【要約】【課題】  植栽を無土壌且つ無鉢の状態で梱包、運送可能とする育苗運搬治具の提供を課題とする。【解決手段】  該育苗運搬冶具１００は、金属製丸棒の桟で１２辺が構成されて、外面及び内部が空洞の略直方体の籠状の構造物であり、その下部横桟３ａは、柱桟１底部から所定寸法上部に設け、対向する前後の下部横桟３ａの間にはその中央を連結固定する中間補強桟４と、上面前後の上部横桟３ｂの間には、対向する前後を連結固定する２本の上面桟５と、左右の上部側面桟２ｂは、前記上部横桟３ｂの端部から上方左右に張り出すように突出して設けられた突出部１ａの先端に架設固定して設け、さらに、左右の上部側面桟２ｂの中間には、下方の前記中間補強桟４に直交させて連結固定する２本の傾斜補強桟６とから構成する。【選択図】  図１
2007312706.tif 000002
【特許請求の範囲】
【請求項１】
上下が水平面を有し、所定の高さを持つ直方体のパレットの上面に、所定間隔で一定深さを有する縦溝と、縦溝の両端を結ぶ横溝を形成し、横溝と同一深さで連通する水位調節装置収納部を横溝の中央に備えた植栽パレットと、該水位調節装置収納部に収納され水槽からの給水パイプに連結された水位調節装置と、該植栽パレットの上面の水平面に敷設され、前記縦溝位置では、溝の深さまで折曲げ挿入された吸水マットと、から構成される栽培装置を用い、前記吸水マット上に蒔種または植栽され吸水マット上に根を張らせて育成された植物を、吸水マット上で生育された状態で梱包して運搬させるための育苗運搬冶具であって、
該育苗運搬冶具は、前記植栽パレットの中央の縦溝の間隔と同じ幅の底辺と高さと、縦溝の長さに等しい奥行きを有する金属製丸棒またはパイプの桟で１２辺が構成されて、外面及び内部が空洞の略直方体の籠状の構造物であり、
前後に立設された各２本の柱桟は、内側に傾けられて上部に接続された上部横桟で台形に形成され、
柱桟底部から所定寸法上部に設けた下部横桟と、対向する前後の下部横桟の間に下部横桟の中央を連結固定する中間補強桟と、
上面前後の上部横桟の間に、対向する前後を連結固定する２本の上面桟と、
上部横桟の端部から上方左右に張り出すように突出して設けられた突出部の先端に架設固定された上部側面桟を設け、
さらに、左右の上部側面桟の中間には、下方の前記中間補強桟に直交させて連結固定する２本の傾斜補強桟と、を設けて構成し、
育成された植物の運搬に際して、前記植栽パレットの上に載置されて植栽された吸水マットの中央２本の前記縦溝に、該冶具の下部側面桟を嵌めるように載置し、吸水マットの左右を縦溝に沿って持ち上げ、該冶具の上部側面桟で折り曲げ反転させ、上面桟に上下反転した吸水マット端部を畳みこみ、上下側面桟の内部空洞に吸水マット上で育成された植物の花茎、葉を収納することを特徴とする育苗運搬冶具。
【請求項２】
前記植栽パレットは、縦横が任意の同寸法で高さを有する直方体で、両側面から横寸法の１／８内側に横寸法の１／４の間隔でパレットの高さ寸法の略４／５の深さと深さ以下の幅を持つ縦溝を４本設け、４本の縦溝の両端近傍に縦溝と直交する縦溝と同じ深さと幅の横溝をそれぞれ設け、中央の２本の縦溝に挟まれた横溝の幅を拡張して水位調節装置収納部を設け、さらに、前後左右の側面に植栽パレット同士の連結突起を所定間隔で設けていることを特徴とする請求項１記載の育苗運搬冶具。
【発明の詳細な説明】
【技術分野】
【０００１】
本発明は、外構、屋上、屋根、壁面、ベランダ、バルコニー、室内などの緑化を行うための植栽を無土壌且つ無鉢の状態でレンタル可能にする育苗装置で栽培された植栽の運搬冶具に関する。
【背景技術】
【０００２】
従来、外構、屋上、屋根、壁面、ベランダ、バルコニー、室内に対して緑化による環境改善がなされていたが、潅水を含めて植栽の管理が難しい問題があった。また、季節毎の植え替えに労力と費用がかかる問題があった。
【０００３】
また、室内の緑化については、鉢或いはプランターの培養土に植栽された観葉植物のレンタルが一般になされているが、貸出先の潅水管理は手間のかかる作業であった。
【０００４】
さらに、季節に合わせて複数の花木を組合せるためには、大型のプランター或いは花壇を設ける必要があった。このため、管理手間のかからない植栽と、その運搬移植手段が望まれていた。
【０００５】
特許文献１は、屋上庭園や花壇などの形成材として用いる見切り材と、その見切り材を組合せて形成した枠内に敷設する保水プレートを用いたシステム庭園の形成方法に関する発明である。また、特許文献２は、間欠潅水を自動的に行う潅水装置に関する発明である。
【０００６】
【特許文献１】特開２００４−２４０５３号公報（第２、３頁、第１図）
【特許文献２】特開２００２−３４５３４２号公報（第２、３頁、第１図、１０図）
【発明の開示】
【発明が解決しようとする課題】
【０００７】
本発明は、前述の問題点を解決するためになされたものであって、植栽を無土壌且つ無鉢の状態で梱包、運送可能とする育苗運搬治具の提供を課題とする。
【課題を解決するための手段】
【０００８】
前記課題を解決するため、本発明の育苗運搬冶具は、上下が水平面を有し、所定の高さを持つ直方体のパレットの上面に、所定間隔で一定深さを有する縦溝と、縦溝の両端を結ぶ横溝を形成し、横溝と同一深さで連通する水位調節装置収納部を横溝の中央に備えた植栽パレットと、該水位調節装置収納部に収納され水槽からの給水パイプに連結された水位調節装置と、該植栽パレットの上面の水平面に敷設され、前記縦溝位置では、溝の深さまで折曲げ挿入された吸水マットと、から構成される栽培装置を用い、前記吸水マット上に蒔種または植栽され吸水マット上に根を張らせて育成された植物を、吸水マット上で生育された状態で梱包して運搬させるための育苗運搬冶具であって、
該育苗運搬冶具は、前記植栽パレットの中央の縦溝の間隔と同じ幅の底辺と高さと、縦溝の長さに等しい奥行きを有する金属製丸棒またはパイプの桟で１２辺が構成されて、外面及び内部が空洞の略直方体の籠状の構造物であり、
前後に立設された各２本の柱桟は、内側に傾けられて上部に接続された上部横桟で台形に形成され、
柱桟底部から所定寸法上部に設けた下部横桟と、対向する前後の下部横桟の間に下部横桟の中央を連結固定する中間補強桟と、
上面前後の上部横桟の間に、対向する前後を連結固定する２本の上面桟と、
上部横桟の端部から上方左右に張り出すように突出して設けられた突出部の先端に架設固定された上部側面桟を設け、
さらに、左右の上部側面桟の中間には、下方の前記中間補強桟に直交させて連結固定する２本の傾斜補強桟と、を設けて構成し、
育成された植物の運搬に際して、前記植栽パレットの上に載置されて植栽された吸水マットの中央２本の前記縦溝に、該冶具の下部側面桟を嵌めるように載置し、吸水マットの左右を縦溝に沿って持ち上げ、該冶具の上部側面桟で折り曲げ反転させ、上面桟に上下反転した吸水マット端部を畳みこみ、上下側面桟の内部空洞に吸水マット上で育成された植物の花茎、葉を収納することを特徴とする。
【０００９】
また、前記植栽パレットは、縦横が任意の同寸法で高さを有する直方体で、両側面から横寸法の１／８内側に横寸法の１／４の間隔でパレットの高さ寸法の略４／５の深さと深さ以下の幅を持つ縦溝を４本設け、４本の縦溝の両端近傍に縦溝と直交する縦溝と同じ深さと幅の横溝をそれぞれ設け、中央の２本の縦溝に挟まれた横溝の幅を拡張して水位調節装置収納部を設け、さらに、前後左右の側面に植栽パレット同士の連結突起を所定間隔で設けていることを特徴とする。
【発明の効果】
【００１０】
本発明の育苗運搬冶具によれば、水位調節装置収納部を備えた植栽パレットの上面の水平面に敷設された吸水マット上に蒔種または植栽され吸水マット上に根を張らせて育成された植物を株分け或いは移植することなく、育苗運搬冶具の外側に吸水マットを立体的に折り包み、育苗運搬冶具の内部空間に植物の茎、葉をそのまま起立させた状態で合成樹脂袋で密封梱包状態とすることができる。また、吸水マットに根を張った状態で梱包されているので、根が湿潤で、運送期間中の保水が維持される。
【００１１】
この発明によれば種から育てた状態で運搬が可能となることから、単位面積あたりの種苗のコストを大幅に引き下げることができると共に、大面積の緑化においては、従来のポット苗の運搬、移植比較してコストを下げることができる。
【００１２】
従来のような掘り起こしを要しないため、掘り取りができなかった若齢の幼苗や、成長期にある花、草苗、花木苗なども梱包運送することができる。また、従来のような鉢植え箱収納の運送は容積が大きくなる問題があったが、本発明によれば土を用いないため軽量で、天地が逆になっても問題がなく、少ない容積で、積重ねが可能であり、一般貨物としての混載が可能で、宅配便を用いて運送することができる。
【００１３】
また、運搬先に、本発明の植栽パレットを備えさせておくことによれば、育苗運搬冶具から吸水マットを移載させるだけで移植などの手間をかけることがなく、その後の潅水管理の手間もかからなくすることができる。更に運搬治具は、繰返し利用が可能でコストがかからない。
【発明を実施するための最良の形態】
【００１４】
以下、図面を参照して本発明を詳細に説明する。図１は、本発明の育苗運搬冶具の一実施例を示す斜視図である。
【００１５】
図１に示す育苗運搬冶具１００は、略１メートル四方サイズの植栽パレット（図３参照）３０上に載置されて植物を育成した吸水マット２０（図２参照）上の植栽を梱包して運搬する冶具の実施例である。
【００１６】
育苗運搬冶具１００は、植栽パレット３０の中央の縦溝の間隔と同じ幅の底辺と高さと、縦溝の長さに等しい奥行きを有する金属製丸棒の桟で１２辺が構成されて、外面及び内部が空洞の略直方体の籠状の構造物である。
【００１７】
前後に立設された各２本の柱桟１は、内側に傾けられて上部に接続された上部横桟３ｂで台形に形成され、下部横桟３ａは、柱桟１底部から所定寸法上部に設け、対向する前後の下部横桟３ａの間にはその中央を連結固定する中間補強桟４が設けられ、上面前後の上部横桟３ｂの間には、対向する前後を連結固定する２本の上面桟５が設けられている。
【００１８】
左右の柱桟１の底部には前後の対向する柱桟１を連結する下部側面桟２ａがそれぞれ架設されている。一方左右の柱桟１の上部に設けられた左右の上部側面桟２ｂは、上部横桟３ｂの端部から上方左右に張り出すように突出して設けられた突出部１ａの先端に架設固定して設けられている。
【００１９】
さらに、左右の上部側面桟２ｂの中間には、下方の前記中間補強桟４に直交させて連結固定する２本の傾斜補強桟６を設け上部側面桟２ｂの撓みを防止している。
【００２０】
これらの各桟部材は、金属棒鋼で、それぞれの連結固定は溶接でなされているが、パイプを用いて折りたたみ自在にしてもよい。
【００２１】
以上の構成により本発明の育苗運搬冶具１００は、下部側面桟２ａと上部側面桟２ｂで形成される４面の空隙と、内部空洞に吸水マット上に植栽された植物を収納する構造体とされている。
【００２２】
図２は、本発明の育苗運搬冶具１００を用いた植栽植物の梱包方法を説明する図で、（ａ）は育苗運搬冶具１００のセット状態、（ｂ）は吸水マットの折りたたみ状態、（ｃ）は梱包された状態を示す図である。
【００２３】
図２（ａ）のセット状態では、吸水マット２０の植栽パレット３０の縦溝３１に折り曲げられて挿入されて区切られた植栽面２０ａ、２０ｂ、２０ｃ、及び両端部の植栽面２０ｄ、２０ｅのうち、中央の植栽面２０ａの上に、育苗運搬冶具１００を載せる。
【００２４】
このとき、吸水マット２０上では、植栽面２０ａ〜ｅに、蒔種または植栽された植物が一面に成長し、吸水マット２０上にその根を張り巡らせている。梱包される時期としては、花茎または葉の高さが育苗運搬冶具１００の高さの２／３以下であることが望ましい。
【００２５】
図２（ｂ）に示すように、育苗運搬冶具１００の両側にある植栽面２０ｂ、２０ｃを縦溝に沿って上方に持ち上げ、吸水マット２０の溝折曲げ部２１を前記上部側面桟２ｂに掛けて吸水マット２０を反転させ裏返された両側の植栽面２０ｄ、２０ｅを上面桟５に載せて育苗運搬冶具１００の側面を巻くように畳み込む。
【００２６】
図２（ｃ）は、吸水マット２０が育苗運搬冶具１００に巻くように畳みこまれて梱包した状態を示している。吸水マット２０上の植栽された植物は、育苗運搬冶具１００の内部空間に収容される。すなわち、植栽面２０ａは上向き、植栽面２０ｂ、２０ｃは横向き、植栽面２０ｄ、２０ｅの植物は下向きの状態で収容されることとなる。
【００２７】
この状態で、吸水マットからの水垂れ、吸水マットの乾燥を防止するためにナイロン袋に収容し、外周面をバンド２５で縛り梱包する。
【００２８】
なお、運送に当たっては、育苗運搬冶具１００を４個積み重ねてバンド２５で縛り、ナイロン袋に収容して１梱包とすることによれば、単位あたりの運賃を低減させることができる。
【００２９】
図３は、本発明で用いる植栽パレットの実施例を示し、（ａ）は平面図、（ｂ）は吸水マットを載せた状態の正面図、（ｃ）は育苗運搬冶具を載せた状態の（ａ）のＡ−Ａ断面図である。
【００３０】
図に示す植栽パレット３０の実施例は、縦横１メートルの寸法で５センチメートルの高さを有する合成樹脂で形成された直方体である。この縦横寸法は任意であるが、上部に載置して植栽される吸水マット２０の運送時の梱包サイズから望ましい寸法である。
【００３１】
植栽パレット３０の上面３０ａには、両側面から横寸法の１／８（１２．５ｃｍ）内側に横寸法の１／４（２５ｃｍ）の間隔で略高さ寸法の４／５（４ｃｍ）の深さと深さ以下の幅（２．６ｃｍ）を持つ縦溝３１を４本設ける。
【００３２】
４本の縦溝３１の両端近傍に縦溝３１と直交する縦溝と同じ深さの横溝３２をそれぞれ設け、中央の２本の縦溝３１に挟まれた横溝３２の幅を拡張した水位調節装置収納部３３を設ける。
【００３３】
水位調節装置収納部３３に収容する水位調節装置（図示せず）は、本願発明者が先に出願した特許文献２に開示したものを用い、無動力で植物の吸水のサイクルにあわせて間歇的な給水を行うものである。
【００３４】
給水された水は、水位調節装置収納部３３から横溝３２を通って縦溝３１に流れ込み、水位調節装置により所定の深さまで給水され、植物の吸水により、所定の値まで消費された後、次の給水がなされる。次の給水までの間にこの発明の植栽パレット３０の上に載置された給水マット２０上の植栽された植物は湿潤な環境と、乾燥気味の環境の繰返しを受けることとなる。
【００３５】
また、植栽パレット３０には、複数の植栽パレット３０を連結して並べる際に突合せ易くする、複数の連結突起３５を設けている。連結突起３５の並びは３５ａと３５ｂで上下または左右を連結するように、互い違いとなる並びとする。
【００３６】
図３（ｂ）は、植栽パレット３０の正面図に、載置された吸水マット２０と、その上で生育された植栽５０を示す。縦溝３１の深さは４ｃｍあるが、その端部は上面３０ａの表面から１ｃｍ程度低い壁で給水が漏れないように形成されている。
【００３７】
図３（ｂ）は、植栽パレット３０の断面図に、載置された吸水マット３０と、その上で生育された植栽５０及び梱包のために中央部に載置された育苗運搬冶具１００を示す。尚、この断面は図３（ａ）のＡ−Ａ断面を示している。
【図面の簡単な説明】
【００３８】
【図１】本発明の育苗運搬冶具１００の斜視図である。
【図２】本発明の育苗運搬冶具１００を用いた植栽植物の梱包方法を説明する図で、（ａ）は育苗運搬冶具１００のセット状態、（ｂ）は吸水マットの折りたたみ状態、（ｃ）は梱包された状態を示す図である。
【図３】本発明で用いる植栽パレットを示し、（ａ）は平面図、（ｂ）は吸水マットを載せた状態の正面図、（ｃ）は育苗運搬冶具を載せた状態の（ａ）のＡ−Ａ断面図である。
【符号の説明】
【００３９】
１    柱桟
１ａ  突出部
２ａ  下部側面桟
２ｂ  上部側面桟
３ａ  下部横桟
３ｂ  上部横桟
４    中間補強桟
５    上面桟
６    傾斜補強桟
２０    吸水マット
２０ａ  植栽面（中央部）
２０ｂ、ｃ  植栽面（両側部）
２０ｄ、ｅ  植栽面（両端部）
２１    溝折曲げ部
２５    バンド
３０    植栽パレット
３０ａ  上面
３０ｂ  底面
３１    縦溝
３２    横溝
３３    水位調節装置収納部
３５    連結突起
３５ａ  連結突起の並び
３５ｂ  連結突起の並び
５０    植栽
１００    育苗運搬治具
【図１】
2007312706.tif 000003
【図２】
2007312706.tif 000004
【図３】
2007312706.tif 000005